(57)【要約】      （修正有）【課題】お客様から品質と価格の満足を得るために、お客様から品質と価格を決めていただく。販売店は在庫を持たないで販売を行う。【解決手段】ダイヤモンドの品質４Ｃを基にパソコンで販売価格と納品限界価格を作成し、お客様の要望を最大限聞く事が出来る。仕入先については、得意不得意も勘案し数社から選択できる環境を整える。【選択図】図３
2008027412.tif 000002
【特許請求の範囲】
【請求項１】
在庫を所有することなく、４Ｃで明示されたダイヤモンドルースを価格表示をすることなく販売するシステム。
【請求項２】
販売法には、お客様が４Ｃと価格の関係を研究し自分で価格を決めて交渉し販売に至る場合と納品限界価格を開示し話し合いで販売に至る場合の二つの方法がある。
【発明の詳細な説明】
【技術分野】
【０００１】  本発明は、ダイヤモンドの品質である４Ｃと価格の関係をパソコンを使用して行い、お客様が価格設定を行うものである。販売店としてはパソコンにより数十万通りのダイヤモンドを所有しているのと同じ状態となる。
【背景技術】
【０００２】  従来は販売店が商品に価格を表示して販売する為に、お客様にとって限られた範囲内での商品の選択となる。また、価格も販売店主導となる。
【発明の開示】
【発明が解決しようとする課題】
【０００３】  販売店が在庫を最小限に押さえ経営の効率化を計り、インターネット等で販売エリアも広められ、日本全国の同業者と戦え、かつお客様は自由に４Ｃでダイヤモンドを自分の意志で低価格の商品を選択できることである。
【課題を解決するための手段】
【０００４】  本発明は、ダイヤモンドの品質である４Ｃを基に、パソコンで価格表を作成する事および仕入先である輸入業者と緊密な関係を持ち、環境を整える事により実現する。鑑定は宝石鑑別団体協議会（ＪＪＡ）に所属する鑑定機関の鑑定書を付ける。
【発明の効果】
【０００５】  本発明は、宝石の王様であるダイヤモンドを先頭に出せる事が、小さな都市の店舗でも日本全国に販路を拡大できる手段である。この販売法をスタートする前は９０％が外販であったが、現在は９５％が店頭販売である。従来は新しいお客様が増えず、客層が高齢化していたが、新しい若いカップルのお客様が増えている。在庫を所有せずともダイヤモンドの販売が可能である事を実践できることは大きな効果である。
【図面の簡単な説明】
【０００６】
【図１】ダイヤモンドの４Ｃ
【図２】ダイヤモンドの４Ｃと価格の関係図（書類名）図面（図１）別表  図−１（図２）別表  図−２
【図１】
2008027412.tif 000003
【図２】
2008027412.tif 000004
【図３】
2008027412.tif 000005
【手続補正書】
【提出日】平成18年10月6日(2006.10.6)
【手続補正１】
【補正対象書類名】明細書
【補正対象項目名】０００６
【補正方法】変更
【補正の内容】
【０００６】
【図１】ダイヤモンドの鑑定に於ける４Ｃの説明図  ダイヤモンドの鑑定書には４Ｃで品質が表記されている。以下はダイヤモンドの品質を表す４Ｃを説明した図である。ダイヤモンドの品質を表すカラット（ＣＡＲＡＴ）、カラー（ＣＯＬＯＲ）、クラリティー（ＣＬＡＲＩＴＹ）、カット（ＣＵＴ）のイニシャルが全てＣで始まるので４Ｃと言う。※カラット（ＣＡＲＡＴ）  カラットは、宝石の重量を表す用語で、１カラットは０．２００ｇでカラットの略字はｃｔとする。精密な電子天秤を用いて小数点第３位（１／１０００カラット）まで表記する。※カラー（ＣＯＬＯＲ）
2008027412.tif 000006
黄色の色調の微妙な違いの評価がダイヤのカラーの評価である。一般には純粋無色なものをＤカラーとし、以下をアルファベットを用いアルファベットのの順でＥ，Ｆ，Ｇ，Ｈ・・・・・・Ｚと分類評価をする。※クラリティー（ＣＬＡＲＩＴＹ）  磨かれたダイヤモンドを専門家が１０倍に拡大し検査してインクルージョン（包有物）の有無、位置、大きさ、性質、数、色を総合的に判断してクラリティーの評価は行われる。クラリティーの評価は、フローレス（ＦＬ）を最高に、肉眼でインクルージョンが見えるＩ３まで１１段階に分類し、それぞれをアルファベットと数字で表示をする。それぞの読み方はＦＬはＦｌａｗｌｅｓｓ（フローレス）の略字でエフエル、ＩＦはＩｎｔｅｒｎａｌｌｙ  Ｆｌａｗｌｅｓｓ（インターナリー・フローレス）の略字でアイエフ、ＶＶＳ１はＶｅｒｙ  Ｖｅｒｙ  Ｓｌｉｇｈｔｌｙ  Ｉｍｐｅｒｆｅｃｔ  １（ベリー・ベリー・スライトリー・インパーフェクト・１）の略字でブイブイエスワン、ＶＶＳ２はＶｅｒｙ  Ｖｅｒｙ  Ｓｌｉｇｈｔｌｙ  Ｉｍｐｅｒｆｅｃｔ  ２（ベリー・ベチー・スライトリー・インパーフェクト・２）の略字でブイブイエスツー、ＶＳＩはＶｅｒｙ  Ｓｌｉｇｈｔｌｙ  Ｉｍｐｅｒｆｅｃｔ  １でブイエスワン、ＶＳ２はＶｅｒｙ  Ｓｌｉｇｈｔｌｙ  Ｉｍｐｅｒｆｅｃｔ  ２でブイエスツー、ＳＩ１はＳｌｉｇｈｔｌｙ  Ｉｍｐｅｒｆｅｃｔ  １でエスアイワン、ＳＩ２はＳｌｉｇｈｔｌｙ  Ｉｍｐｅｒｆｅｃｔ  ２でエスアイツー、Ｉ１はＩｍｐｅｒｆｅｃｔ  １でアイワン、Ｉ２はＩｍｐｅｒｆｅｃｔ  ２でアイツー、Ｉ３はＩｍｐｅｒｆｅｃｔ  ３でアイスリーと呼ぶ。
2008027412.tif 000007
※カット（ＣＵＴ）  プロポーション（形）とフィニッシュ（仕上げ＝対称性と研摩状態）を基に総合的に評価し、５段階に等級付けをする。
2008027412.tif 000008
オノスペシャルではエクセレントをさらにエクセレント、ハート＆キューピッド・エクセレント、ハート＆キューピッド・トリプルエクセレント３段階に等級付けをし価格を細分化する。
2008027412.tif 000009
【図２】バーチャル在庫の説明図  ダイヤモンドは同じカラットの範囲内で、かつ、カラー、クラリティー、カットが同じであれば規則的（正比例）に価格が変化する。同じ範囲内のカラットと言うのは０．２００ｃｔ〜０．２４９ｃｔ、０．２５０ｃｔ〜０．２９９ｃｔ、０．３００ｃｔ〜０．３９９ｃｔ、０．４００ｃｔ〜０．４９９ｃｔ、０．５００ｃｔ〜０．５９９ｃｔ・・・・・・・・・・・・・。それぞれが同じ範囲内のカラットとなる。その特性を活用したのが下図のバーチャル在庫表です。
2008027412.tif 000010
※カラット  各番号ごとに１００種類の在庫が存在する。０．３００と云うのは０．３００ｃｔ〜０．３９９ｃｔと云う事で、０．３００ｃｔ、０．３０１ｃｔ、０．３０２ｃｔ・・・・・・・０．３９９ｃｔ等の１００種類のダイヤモンドが存在する。※カラー  Ｄ〜Ｚまで存在する。※クラリティー  ＦＬ〜Ｉ３までの１１段階が存在する。※カット  鑑定書は５段階だが、品質と価格の精度を高める為、エクセレントを３段階として、７段階とする。※キャラガイ  １．００ｃｔに換算した時の価格。※参考小売り価格  市場調査で割り出した平均的小売価格。参考小売り価格の計算の仕方は、キャラガイ小売価格とカラットを掛け合わせる。※限界価格  お客に販売する際の限界の価格。限界価格の計算の仕方は、キャラガイ限界価格とカラットを掛け合わせる。※宝石鑑別団体協議会に所属する鑑別機関の、最新の鑑定書の付くダイヤモンドだけを取り扱う。※バーチャル在庫表の価格の￥０は、仕入れの状況が困難な為とする。※ダイヤモンドの価格は為替レート等で毎日変化するが、バーチャル在庫表は原則的に１週間程度の割り合いでパソコンを利用して更新する。
【図３】お客が選定する流れ図  お客がオノスペシャルの二つのコースからどちらからを選定する。その流れを図で説明する。
2008027412.tif 000011
【符号の説明】
※カラット（ＣＡＲＡＴ）ｃｔ
宝石の重量を表す用語。
※カラー（ＣＯＬＯＲ）
純粋無色なものをＤカラーとし、以下をアルファベットを用いアルファベットのの順でＥ，Ｆ，Ｇ，Ｈ・・・・・・Ｚと分類評価をする。
※クラリティー（ＣＬＡＲＩＴＹ）
ＦＬはＦｌａｗｌｅｓｓ（フローレス）の略字でエフエル、ＩＦはＩｎｔｅｒｎａｌｌｙ  Ｆｌａｗｌｅｓｓ（インターナリー・フローレス）の略字でアイエフ、ＶＶＳ１はＶｅｒｙ  Ｖｅｒｙ  Ｓｌｉｇｈｔｌｙ  Ｉｍｐｅｒｆｅｃｔ  １（ベリー・ベリー・スライトリー・インパーフェクト・１）の略字でブイブイエスワン、ＶＶＳ２はＶｅｒｙ  Ｖｅｒｙ  Ｓｌｉｇｈｔｌｙ  Ｉｍｐｅｒｆｅｃｔ  ２（ベリー・ベリー・スライトリー・インパーフェクト・２）の略字でブイブイエスツー、ＶＳＩはＶｅｒｙ  Ｓｌｉｇｈｔｌｙ  Ｉｍｐｅｒｆｅｃｔ  １でブイエスワン、ＶＳ２はＶｅｒｙ  Ｓｌｉｇｈｔｌｙ  Ｉｍｐｅｒｆｅｃｔ  ２でブイエスツー、ＳＩ１はＳｌｉｇｈｔｌｙ  Ｉｍｐｅｒｆｅｃｔ  １でエスアイワン、ＳＩ２はＳｌｉｇｈｔｌｙ  Ｉｍｐｅｒｆｅｃｔ  ２でエスアイツー、Ｉ１はＩｍｐｅｒｆｅｃｔ  １でアイワン、Ｉ２はＩｍｐｅｒｆｅｃｔ  ２でアイツー、Ｉ３はＩｍｐｅｒｆｅｃｔ  ３でアイスリーと呼ぶ。
※カット（ＣＵＴ）
プロポーション（形）とフィニッシュ（仕上げ＝対称性と研摩状態）を基に総合的に評価し、５段階に等級付けをする。